Podtech/llm-jp-corpus-v4-ja_patent huggingface dataset:
(57)【要約】   【課題】          垂直翼型風車の効率を上げるためには回転翼が一回転する間に回転トルクの発生する範囲を広げる必要がある。翼の迎え角を制御することで強い回転力が得られることがわかり、 簡単な機構で翼の迎え角を制御し、効率のよい回転トルクが得られる回転翼迎え角可変機構を提供する。   【解決手段】          回転翼の軸中心から一定距離にある軸を中心に回る回転体から翼後部に連接棒を設けて翼の迎え角を効果的に可変する。また風向に対して偏心プレート軸位置制御風向翼を設けて風向きに対する方向性の問題点を克服した。    【選択図】      図１
2009114975.tif 000002
【特許請求の範囲】
【請求項１】
垂直翼型風車の回転翼の迎え角を自動的に可変にすることで回転トルクの発生範囲を大きくし、強い回転力を得ることを特徴とする垂直翼型風車の回転翼迎え角可変機構。
【請求項２】
前記可変機構は翼回転軸の中心Aに対して一定距離偏心させた軸Cの周りを回る回転体から一定の距離をもつ翼の作用点９が支点８を中心としてつくる回転角を回転翼迎え角とする可変機構で、翼尾が軌跡図５Dを描く垂直翼型風車の回転翼迎え角可変機構。
【請求項３】
請求項２の偏心軸Cの偏心方向を風向きに対して効率の良い方向に向ける風向翼２を設けた垂直翼型風車の回転翼迎え角可変機構。
【発明の詳細な説明】
【技術分野】
【０００１】
本発明は、個々の回転翼が風向きに対して回転トルクを得やすい迎え角に自動的に可変する垂直翼型風車に関する。          
【背景技術】
【０００２】
従来、垂直翼型風車は回転翼が一定の迎え角で固定せれており翼一回転の範囲の中で回転トルクを発生する範囲が狭く、微風時の回転トルクが弱い。迎え角を可変にして効率を上げるための機構は公示のものである。
【特許文献１】特開平９−１００７７５
【特許文献２】特開平１１−０３６９６８
【特許文献３】特許公開２００６−３０７８１６
【発明の開示】
【発明が解決しようとする課題】
【０００３】
垂直翼型風車は微風時の起動トルクおよび回転トルクが少ないという欠点を有する。
【０００４】
垂直翼型風車の効率を上げるためには回転翼が一回転する間に回転トルクの発生する範囲を広げる必要がある。
【０００５】
本発明は、簡単な機構で効率よく回転トルクが得られるようにすることを目的としている。
【課題を解決するための手段】
【０００６】
請求項１は、上記の目的を達成するために垂直翼型風車の回転トルクが風向に対する翼回転位置においてどのような迎え角が最適かを調べた。
【０００７】
図４は風向きに対して翼が向かい風の時は揚力を発生しやすい角度となり追い風の場合は抗力が発生しやすい角度が理想的となった。風向きに対して横切る場合は抗力と揚力をあわせた角度になる。
【０００８】
請求項２は翼尾の描く軌跡図４Fを実験から得た理想の迎え角とし、その軌跡に近い迎え角を得る制御方法として軌跡Fを近似円と見なし、その軌跡上に真円Dをかぶせた時、その円の中心Cを偏心軸の中心として迎え角を制御する偏心プレート３および連接棒５の回転の中心とした。
【０００９】
偏心プレート３から連接棒５を介して回転翼１は可動継ぎ手８を支点に作用点9により理想に近い翼の迎え角が得られる。
【００１０】
偏心プレート３の回転は翼の回転から偏心プレート回転伝達ロッド７を介して伝達される。
【００１１】
請求項３は風向翼２が風向きを感知し、偏心プレート３の中心Cを風向きに対して最も効率のよい方向に向ける。
【発明の効果】
【００１２】
本発明は請求項１のごとく構成したので起動トルクおよび回転トルクが数倍に増加した。
【００１３】
垂直翼型風車の欠点である自己起動力の弱さは回転トルク増加に伴い克服され、スムーズな起動を可能とした。
【００１４】
構造が簡単であるため製作コストが低く抑えられ、故障箇所も少ない。
【発明を実施するための最良の形態】
【００１５】
従来の垂直翼型風車に本発明の迎え角可変機構を取り付けることで微風時の起動力、回転力が増加できる。
【実施例】
【００１６】
本発明の回転翼迎え角可変機構を用いた垂直翼型風車に発電機を取り付けることで風力の弱い場所においても有効に発電する。
【００１７】
また小型だけでなく大型風力発電にも効果的である。
【００１８】
微風でも起動するため設置場所の範囲が広くなる。
【産業上の利用可能性】
【００１９】
本発明を取り入れた垂直翼型風力発電装置は構造的に簡単で故障箇所が少なく、効率のよい風力発電装置として期待できる。
【図面の簡単な説明】
【００２０】
【図１】本発明の垂直翼型風車の回転翼迎え角可変機構を取り入れた垂直翼型風車斜視図である。
【図２】同じく平面図である。
【図３】同じく側面図である。
【図４】実験結果から回転位置におけるトルク発生の強い迎え角の翼軌跡である。
【図５】図４の翼端の軌跡を近似円と見なしその中心を偏心軸の中心として翼端まで等距離にとって描いた理想に近い回転翼の迎え角の軌跡を表した図である。
【符号の説明】
【００２１】
A  回転翼中心
B  回転翼取り付け部軌跡円
C  回転翼中心より一定の距離にある偏心プレートの軸中心
D  考案した制御方法で、偏心軸を中心として回転したときの翼尾の軌跡
E  風向きに対して、回転位置における最大トルクを得る迎え角の実験結果か得た翼尾の軌跡
F  可変ロッド取り付け継手部分の軌跡
１  回転翼
２  風向翼
３  偏心プレート
４  軸受け
５  迎え角可変用連接棒
６  回転翼取付け棒
７  偏心プレート回転伝達ロッド
８  可動継ぎ手
９  可変ロッド可動継ぎ手
１０  支柱
【図１】
2009114975.tif 000003
【図２】
2009114975.tif 000004
【図３】
2009114975.tif 000005
【図４】
2009114975.tif 000006
【図５】
2009114975.tif 000007
(57)【要約】【課題】  既設杭の破砕除去工法では、ケーシングの中で杭を壊すので、ヘッドに鉄筋がからまり掘り進むことが出来なくなって作業を中断する結果となり、工期が長引く原因となっている。【解決手段】  埋設されているコンクリート杭は大小あるが、中心は丸い空間があり、この中を利用して槍型のヘッドで破砕するもので、案内するように杭の芯を通るのでケーシングは不要で、しかも螺旋羽根を設けることで、残った鉄筋も引き上げられ後処理も簡単である。【選択図】  図２
2009114715.tif 000002
【特許請求の範囲】
【請求項１】
回転軸の先端に槍型の破砕ヘッドを設け、該破砕ヘッドの側面に破砕刃を設け、回転軸に羽根を設け、既設杭の中心空間に回転軸を進入させることを特徴とした既設杭の破砕除去工法。
【請求項２】
回転軸を設ける羽根の側面に鉄筋引っかけ用の駒を設ける請求項１に記載の既設杭の破砕除去工法。
【発明の詳細な説明】
【技術分野】
【０００１】
本発明は、ビルの建替え等で、上物を除去した後、基礎として埋入されている既設杭を撤去するための破砕除去工法に関する。
【背景技術】
【０００２】
従来から既設杭の除去工法としては、杭をそのまま引抜く工法や切断しながら除去する工法あるいは上部から破砕して除去する工法等種々開発されているが、いずれにしても大掛りな装置が必要であり、新規な基礎杭の打込みに比較して倍以上の手間や経費を要している。
【特許文献１】特許３３６１７７６号公報
【発明の開示】
【発明が解決しようとする課題】
【０００３】
本発明は、杭を破砕しながら除去する工法であるが、従来の工法は、ケーシングの中で杭を破砕するため、鉄筋がケーシングの中でからまり作業を中断することがしばしばあり、大型の機械を用いても非常に手間を要していた。
【課題を解決するための手段】
【０００４】
本発明は、この点に鑑み開発したものであって、ケーシングを用いることなく、コンクリート杭の中空部に槍型破砕ヘッドを進入させて、杭の上部からコンクリートを破砕しながら、鉄筋を上方に引上げて既設杭を除去する工法を提供するものである。
【発明の効果】
【０００５】
本発明は、コンクリート杭の中空部を利用するため、大型の機械を必要とせずに破砕ができ、鉄筋もそのまま引上げられるもので、従来の工法に比較してきわめて効率よく既設杭の除去が完了できる。
【発明を実施するための最良の形態】
【０００６】
添付図面により本発明を実施するための最良の形態を説明すると、既設コンクリート杭（５）の中空部に槍型の破砕ヘッド（１）を回転軸（３）により進入させてコンクリート杭を破砕しながら鉄筋を軸に設けた回転羽根によって引上げるため高能率で実施できる。
【実施例】
【０００７】
図１は回転軸（３）の先端に装着されている破砕用の槍型ヘッド（１）の全体を示す正面図で、先端が細く四角錘状で、この各面には破砕刃（２）が装着してある。図２、図３は実施例図であり、図２は作業開始の状態を示していて、埋入されている既設杭（通常は遠心成形によるコンクリート杭）の中心の空間に槍型ヘッド（１）の先端を挿入して回転しながら下方に移動させる。
【０００８】
杭の径は場所によってそれぞれ異なっているが、ヘッド（１）は角錐状の槍型であるため、いずれの大きさの杭（５）にも対応できる。
【０００９】
この槍型ヘッド（１）を進入することにより、杭（５）は中空部からヘッドの破砕刃（２）によって砕かれて飛散落下するが、杭（５）には鉄筋（６）が組入れられていて、この鉄筋（６）のみが破砕されずに残る。
【００１０】
本発明は挿入する回転軸（３）に螺旋状の羽根（４）が設けてあり、ヘッド（１）の破砕によって残された鉄筋（６）は、この羽根（４）に引っかかって引き上げられ、地上に取り出されて処理される。図示していないがこの羽根（４）に駒を設けて鉄筋（６）の引き上げを容易にすることも考えられる。また図３においては、鉄筋（６）として主鉄筋である縦鉄筋のみを示しているが、当然のことながら螺旋鉄筋についても引き上げられるが、作図上複雑となるため省略する。
【産業上の利用可能性】
【００１１】
上述のように、本発明の既設杭の破砕除去工法は、槍型の破砕ヘッドを用いるため大型の機械が不要であり、しかも鉄筋も容易に除去できることで、ビル破壊後の整地処理が簡単迅速にできることでこの工法の利用は大である。
【図面の簡単な説明】
【００１２】
【図１】槍型破砕ヘッドの正面図
【図２】作業開始の実施例図
【図３】作業中の実施例図
【符号の説明】
【００１３】
１  槍型の破砕ヘッド
２  破砕刃
３  回転軸
４  羽根
５  既設コンクリート杭
６  鉄筋
【図１】
2009114715.tif 000003
【図２】
2009114715.tif 000004
【図３】
2009114715.tif 000005
(57)【要約】【課題】本願発明は、下層を貯留槽とし上層を浸透槽とする貯留兼浸透槽の改良技術の提案にある。【解決手段】本発明は、雨水等の貯留兼浸透槽であって、貯留槽と浸透槽からなり水を貯留槽の底部より導入し貯留槽のからの越流水を浸透槽に導入する貯留兼浸透槽である。貯留槽の深さを大きく取れるため、砂泥などが槽底に溜まっていても清浄な水を利用できる。浸透槽の槽底からの浸透が可能となるため浸透量を大きくすることができ浸透槽を小さくできる。貯留槽の底から雨水等を導入するため常に貯留槽内の水は入れ替わり新鮮な状態に保たれ腐らない。貯留槽の底から水などを導入するため、貯留槽に溜まる砂泥量が減少する。などの効果がある。【選択図】図１
2009114737.tif 000002
【特許請求の範囲】
【請求項１】
雨水等の貯留兼浸透槽であって、貯留槽と浸透槽からなり雨水を貯留槽の底部に導入し貯留槽からの溢流水を浸透槽に導入する貯留兼浸透槽。
【発明の詳細な説明】
【技術分野】
【０００１】
本発明は、雨水等の貯留兼浸透槽の技術に属する。
【背景技術】
【０００２】
雨水等の有効利用と、流出抑制の効果を併せ持つ貯留兼浸透槽がある。特開平9-41470には槽を上下に区画し、下層を貯留部、上層を浸透部とする貯留兼浸透槽技術が開示されている。貯留部分には常に一定量の雨水などが貯留され、散水あるいは非常用水などとして使用される。上層部は雨水などが一時に下水、河川などに流出しないよう一時的に溜める部分となっている。
しかしながら、貯留槽部分は槽の下層に位置し、貯留された雨水等は常に滞留し、新鮮な雨水が導入されても入れ替わることがない。そのため貯留した雨水の品質は時間経過とともに水の腐敗などで損なわれる可能性がある。
さらに貯留部分の槽の深さは全体の槽の高さより小さくなる。槽内に少しずつ雨水などに随伴されて入る砂泥などが沈積する。貯留槽部分の高さは槽全体の高さに比べ低くなるため、雨水等をポンプ等で汲み上げるときは貯留された水の深さが高いほど、砂泥が巻き上げられる量が減少する。全体を貯留槽とする場合より砂泥を巻き上げる量が多くなり、結果として汲み上げて使用する水に含まれる砂泥が多くなり品質を損ねる。
【０００３】
さらに浸透槽部分ついては槽の底面から地中に浸透する量は、その側面から浸透する量に比較して大きい。そのため浸透槽の体積は浸透量をも考慮して設計する場合は、雨水等の流出抑制効果を上げるには槽の体積は大きくする必要がある。
【０００４】
【特許文献１】特開平9-41470
【発明の開示】
【発明が解決しようとする課題】
【０００５】
本願発明は、雨水等の有効利用と流出抑制を図る貯留兼浸透槽の改良技術の提案にある。
【課題を解決するための手段】
【０００６】
本発明は、雨水等の貯留兼浸透槽であって、貯留槽と浸透槽からなり水を貯留槽の底部より導入し貯留槽からの溢流水を浸透槽に導入する貯留兼浸透槽である。貯留槽の水が常に新鮮に保たれるよう、雨水等を貯留槽の底部に導入するようにした。
【発明の効果】
【０００７】
本発明の貯留兼浸透槽は貯留槽と浸透槽を別の槽とし、貯留槽の底から雨水などを導入し、貯留槽からの溢流水を浸透槽に導入することにより以下の効果がある。
・  貯留槽の底から雨水等を導入するため常に貯留槽内の水は入れ替わり新鮮な状態に保たれる。
・  浸透槽の槽底からの浸透が可能となるため浸透量を大きくすることができ浸透槽を小さくできる。
・  貯留槽の深さを大きく取れるため、砂泥などが槽底に溜まっていても清浄な水を利用できる。
・  貯留槽の底から雨水等を導入するため、貯留槽に溜まった砂泥は巻き上げられて浸透槽に運ばれる。そのため貯留槽にたまる砂泥量が減少する。
【発明を実施するための最良の形態】
【０００８】
以下、本発明を、図を用いて、より詳細に説明する。
図１は本発明に係る貯留槽兼浸透槽の第１の例を示す概念図である。
図に示すように、貯留槽と浸透槽は独立に設けられる。図では両者は互いに隣接している。
【０００９】
図に示すように、雨水等は通常泥だめますにて粒径の大きな砂粒を沈積させ、上澄み液を槽内に導入する。
砂粒、ゴミなどを除去された雨水等は貯留槽の底からあるいは槽底に近い場所から導入される。貯留槽が満杯となると、貯留槽からの溢流水が隣接する浸透槽の中に導入される。
【００１０】
図２は本発明に係る貯留兼浸透槽の第２の例を示す概念図である。
図に示すように、貯留槽と浸透槽は独立に設けられる。本例は隣接した位置に設けられるのではなく、距離をおいて設けられた例である。
上記と同様に砂粒などを除去された雨水等は貯留槽の底へ導入される。貯留槽が満杯になると、貯留槽からの溢流水が浸透槽に導入される。
【００１１】
いずれの例においても、貯留槽内の水は常に新しい雨水などによって置換され、常に新鮮な状態に保たれる。そのため貯留槽内の水が腐ることがない。
さらに、貯留槽内に沈積した砂泥は貯留槽の底から導入される雨水などにより攪拌されて水の流れに伴い浸透槽に運ばれる。そのため貯留槽内に砂泥が次々に層を成して沈積する可能性が減少する。
なお、貯留槽内の水の利用はポンプその他必要な付属設備は従来技術で対応可能であり図示していない。
【００１２】
従来の下層を貯留槽、上層を浸透槽とする兼用槽は底面およびその底面に続く側面が遮水されている。そのため浸透槽部の側面のみから浸透するのにたいし、本発明による浸透槽は、槽の底面および側面から浸透させることができる。浸透量は槽の底面からの量が側面からの量より大きいため、従来の槽に比べその浸透槽の容積を小さくすることができる。
本発明による貯留兼浸透槽では新鮮でかつ清浄な雨水の有効利用と、流出抑制効果を同時に得ることができる。
【００１３】
本発明による貯留兼浸透槽は、現場打ちコンクリート槽、工場生産されるボックスカルバートを使用する槽あるいは樹脂製あるいは金属製のブロックをシート類で包んだ槽においても実施することができる。
【図面の簡単な説明】
【００１４】
【図１】は、本発明による貯留兼浸透槽の第１の例を示す概念図である。
【図２】は、本発明による貯留兼浸透槽の第２の例を示す概念図である。
【図３】は、従来の貯留兼浸透槽の概念図である。
【００１５】
１  貯留槽
２  浸透槽
３  泥だめます
４  導入管
５  溢流管
６  ブロック
７  遮水シート
８  透水シート
【図１】
2009114737.tif 000003
【図２】
2009114737.tif 000004
【図３】
2009114737.tif 000005
(57)【要約】【課題】本発明は、薄い平板部に設けた孔部を雌継手とする継手の強化方法の提案にある。【解決手段】本発明は、突部が薄い平板に設けた孔部に挿入される雄雌継手であって、雄継手が挿入され、雌継手の平板部を突き抜ける部分に鞘を設けて雌継手を強化した雄雌継手であって、平板と平板に開口部を有する端部が閉じられた筒部からなり、端部同士を突き合わせて接続するテーブル状部材の上記端部に適用し、水平方向からの力に対し補強し。【選択図】図１
2009114736.tif 000002
【特許請求の範囲】
【請求項１】
突部を雄継手とし、薄い平板に設けた孔を雌継手とする雄雌継手であって、雌継手の後方部分に鞘を設けて雌継手を強化した雄雌継手。
【請求項２】
平板と平板に開口部を有する端部が閉じられた筒部からなり、端部同士を突き合わせて接続するテーブル状部材であって、上記端部に請求項1記載の雄雌継手を設けたテーブル状部材。
【発明の詳細な説明】
【技術分野】
【０００１】
本発明は、雄雌継手およびそれを用いるテーブル状部材の継手部強化技術に属する。
【背景技術】
【０００２】
薄い平板に設けた孔部に突部を挿入する雄雌継手は広く使用されている。
薄い平板に設けた孔部はその孔部の縁部が雄継手の突部に比較してその強度が弱くなる。
雄雌継手の強度に著しい強度さがあると継手部に掛かる力により変形し、場合によっては継手部が外れたりする場合がある。薄い平板に設けた孔部に棒状の突部を挿入する雄雌継手では、継手部に平行方向からの力が加わると、孔部の縁部が変形する。かかる継手を使用する例として、雨水貯留槽あるいは軽量盛土などの充填材として使用されるテーブル状部材（テーブル状部材については        特開平10-252108、特開平11-222886、特開2000-352080などに開示されている。一例を図4に示す。）をその筒部端面同士を突き合わせて接続する際、雄雌継手を使用している。薄い平板部に設けた孔部を雌継手とする雌継手の強化方法が求められている。
【０００３】
【特許文献１】特開平10-252108
【特許文献２】特開平11-222886
【特許文献３】特開2000-352080
【発明の開示】
【発明が解決しようとする課題】
【０００４】
本発明は、薄い平板部に設けた孔部を雌継手とする継手の強化方法の提案にある。
【課題を解決するための手段】
【０００５】
本第１の発明は、突部を雄継手とし、薄い平板に設けた孔を雌継手とする雄雌継手であって、雌継手の後方部分に鞘を設けて雌継手を強化した雄雌継手である。鞘部を設けることで雌継手が補強される。
本第２の発明は、平板と平板に開口部を有する端部が閉じられた筒部からなり、端部同士を突き合わせて接続するテーブル状部材であって、上記端部に上記記載の雄雌継手を設けたテーブル状部材である。
【発明の効果】
【０００６】
本発明は、薄い平板に設けた孔部を雌継手とし、棒状の突部を雄継手とする雄雌の継手において、雄継手の挿入される雌継手の後方に鞘を設けて雌継手の強度を向上したもので、横方向の力に対し補強がなされた。
【発明を実施するための最良の形態】
【０００７】
以下本発明を図により詳細に説明する。
図１は、雄継手と雌継手の例を示す概念図である。
図１ａは雄継手の例を示す概念図であり、平板上に4本の棒状の突部が設けられている。図１ｂは、雌継手の例を示す概念図である。平板をその端面で突き合わせて接続するもので、図では各平板に４個の孔部が設けられている。上は平面図、下はその断面図である。断面図に示すように雌継手の後方には鞘が設けられている。
【０００８】
図2は上記継手をテーブル状部材の筒部端部に設けた例を示している。テーブル状部材は平板と平板に開口し他端が閉じられた筒部からなる。筒部の形状、数は特に制限はない。テーブル状部材を入れ子状に重ね合わせることができるような形状であることが貯蔵運搬の便から好ましい。例えば戴円錐形、戴角錐形などで開口部から閉端部にかけて狭くなるようなテーパを設けたものである。筒部の数も1ないし４が内部の見通し、安定性などから好ましい。
【０００９】
図２のテーブル状部材では筒部閉端部に２個の棒状の雄継手および２個の雌継手が設けられている。
雄継手、雌継手の位置は対角線上に位置する2個の継手をそれぞれ雄、雌とすることができる。また相ならんだ2個の継手をそれぞれ雄、雌とすることでもよい。
雌継手は、図に示したようにその裏側に鞘が設けられ図3に示すように雄雌の継手が接続されたときその強度が鞘のない場合よりも補強されている。
【００１０】
本テーブル状部材の材質はポリプロピレンあるいはポリエチレン等のポリオレフィン類あるいはポリエチレンテレフタレートなどの熱可塑性樹脂が使用できる。
【図面の簡単な説明】
【００１１】
【図１】本発明の継手の概念図である。
【図２】本発明の継手を備えたテーブル状部材の一例である。
【図３】テーブル状部材が接続された状態を示す概念図である。
【図４】従来のテーブル状部材の例を示す。
【符号の説明】
【００１２】
１  継手
２  雄継手
３  雌継手
４  鞘
５  テーブル状部材
【図１】
2009114736.tif 000003
【図２】
2009114736.tif 000004
【図３】
2009114736.tif 000005
【図４】
2009114736.tif 000006
(57)【要約】【課題】ペットの出入りに際して開け閉めの必要がない網戸を提供する。【解決手段】網戸１は、建物の窓枠（図示せず）に取り付けるフレーム２と、フレーム２に張設した網目シート３とからなる。網目シート３の下部にはペットの通る扉４を設けてある。網目シート３には、扉４を設置するための窓５が形成してあり、その周縁部に樹脂製の窓枠６を取り付けてある。扉４は、網目シート３から切り取った窓形成部分３ａで構成してあり、その周縁部に樹脂製の扉枠８を取り付けてある。【選択図】図２
2009114798.tif 000002
【特許請求の範囲】
【請求項１】
窓枠に取り付けられるフレームと、該フレームに張設した網目シートとからなる網戸において、上記網目シートにペットの通る扉を設けたことを特徴とする網戸。
【請求項２】
上記網目シートは、扉設置用の窓を形成してその周縁部に窓枠を取り付けてあることを特徴とする請求項１に記載の網戸。
【請求項３】
上記窓枠は網目シートを挟持する内枠と外枠からなることを特徴とする請求項２に記載の網戸。
【請求項４】
上記扉は、網目シートから切り取った窓形成部分で構成するとともに、その周縁部に扉枠を取り付けたことを特徴とする請求項２または請求項３に記載の網戸。
【請求項５】
上記扉枠は、網目シートを挟持する内枠と外枠とからなることを特徴とする請求項４に記載の網戸。
【請求項６】
上記窓枠と扉枠は、連結された状態で上記網目シートと扉に取り付けられ、上記網目シートのフレームへの張設後に分離されることを特徴とする請求項４または請求項５に記載の網戸。
【発明の詳細な説明】
【技術分野】
【０００１】
本発明は建物の窓枠に取り付ける網戸に関する。
【背景技術】
【０００２】
夏場には、建物の窓枠に網戸を取り付けて過ごし易くしている（特許文献１参照）。しかし、犬や猫などのペットを飼っている場合、ペットが室内から出入りする度に、網戸を開け閉めしなければならなくなる。その際、室内への虫の侵入を許すことになり、折角、網戸を取り付けたのに、その効果が損なわれてしまう。なお、窓枠に嵌め込むタイプの網戸では、網戸自体の取り付け、取り外しを行わなければならず、多大の手間を要する。
【特許文献１】実開平７−４３４８３号公報
【発明の開示】
【発明が解決しようとする課題】
【０００３】
本発明は、このような事情に鑑み、ペットの出入りに際して開け閉めの必要がない網戸を提供することを目的とする。
【課題を解決するための手段】
【０００４】
上記課題を解決するための本発明は、窓枠に取り付けられるフレームと、該フレームに張設した網目シートとからなる網戸において、上記網目シートにペットの通る扉を設けたことを特徴とする。
上記網目シートは、扉設置用の窓を形成してその周縁部に窓枠を取り付けてあるのが好ましい。
上記窓枠は網目シートを挟持する内枠と外枠からなるのが好ましい。
上記扉は、網目シートから切り取った窓形成部分で構成するとともに、その周縁部に扉枠を取り付けるのが好ましい。
上記扉枠は、網目シートを挟持する内枠と外枠とからなるのが好ましい。
上記窓枠と扉枠は、連結された状態で上記網目シートと扉に取り付けられ、上記網目シートのフレームへの張設後に分離されるのが好ましい。
【発明の効果】
【０００５】
本発明によれば、網目シートに設けた扉からペットの出入りが行われるので、網戸を開け閉めする必要がなくなり、室内への虫の侵入を防止することができる。
【発明を実施するための最良の形態】
【０００６】
以下、本発明の実施形態を添付図面に基づいて詳細に説明する。
図１は本発明の網戸を示す正面図、図２は図１の扉の部分を拡大して示す図、図３は図２のＡ−Ａ線断面図である。
【０００７】
この網戸１は、建物の窓枠（図示せず）に取り付けるフレーム２と、フレーム２に張設した網目シート３とからなる。フレーム２は、窓枠にスライド自在に取り付ける開閉式のものであってもよいし、窓枠に嵌め込む固定式のものであってもよい。
【０００８】
網目シート３の下部にはペットの通る扉４が設けてある。この扉４は上部をドーム形に形成し、その下方の部分は矩形に形成してある。網目シート３には、扉４を設置するための窓５が形成してあり、その周縁部に樹脂製の窓枠６を取り付けてある（図２参照）。この窓枠６は網目シート３を挟持する内枠６ａと外枠６ｂとからなり、外枠６ｂに間隔をおいて突設した複数のホック７を内枠６ａに嵌合してある（図３参照）。なお、内枠６ａと外枠６ｂに両面テープを貼着して、網目シート３のほつれを防止するとともに、網目シート３の仮止めによる作業性の向上を図るのが好ましい。
【０００９】
扉４は、網目シート３から切り取った窓形成部分３ａで構成してあり、その周縁部に樹脂製の扉枠８を取り付けてある。この扉枠８は網目シート３の窓形成部分３ａを挟持する内枠８ａと外枠８ｂとからなり、外枠８ｂに間隔をおいて突設した複数のホック９を内枠８ａに嵌合してある（図３参照）。なお、内枠８ａと外枠８ｂに両面テープを貼着して、窓形成部分３ａのほつれを防止するとともに、窓形成部分３ａの仮止めによる作業性の向上を図るのが好ましい。
【００１０】
窓枠６と扉枠８は、一体成形された複数の連結バー１０を介して連結されている。この連結バー１０は、網目シート３をフレーム２に張設した後に、切断して窓枠６と扉枠８を分離する。扉４は一対の留め金１１で窓枠６に支持されている。また、扉４の下端には、ホック１２で窓枠６に固定される舌片１３を設けてある。
【００１１】
この網戸１は、ペットが室内から出入する際には、ホック１２を外して扉４をフリーにしておけばよい。すると、ペットが扉４から出入りするので、網戸１を開け閉めする必要がなくなり、室内への虫の侵入を防止することができる。
【００１２】
さらに、網目シート３から切り取って扉４を構成してあるので、材料の有効利用によるコストダウンが図られるとともに、扉４と網目シート３が一体感を生じ、見栄えが良い。
【００１３】
また、窓枠６と扉枠８を連結バー１０で連結した状態で網目シート３をフレームに張設できるので、網目シート３が窓５の周縁部でほつれるのを防止することができるとともに、作業性の向上にも役立つ。
【図面の簡単な説明】
【００１４】
【図１】本発明の網戸を示す正面図である。
【図２】図１の扉の部分を拡大して示す図である。
【図３】図２のＡ−Ａ線断面図である。
【符号の説明】
【００１５】
１      網戸
２      フレーム
３      網目シート
３ａ    窓形成部分
４      扉
５      窓
６      窓枠
６ａ    内枠
６ｂ    外枠
７      ホック
８      扉枠
８ａ    内枠
８ｂ    外枠
９      ホック
１０    連結バー
１１    留め金
１２    ホック
１３    舌片
【図１】
2009114798.tif 000003
【図２】
2009114798.tif 000004
【図３】
2009114798.tif 000005
(57)【要約】【課題】作業用脚立又はハシゴ上において作業をする際持ち上がった道具類が落下するのを防ぐ事を目的とした作業用脚立等に着脱可能な道具箱を提供する。【解決手段】左右に切り込みを設けた道具箱を脚立又はハシゴ上部に固定できるようにし、持ち上がった道具や小物類を入れて置けるようにした作業用脚立等に着脱可能な道具箱。【選択図】図１
2009114833.tif 000002
【特許請求の範囲】
【請求項１】
左右上部に切り込みを設けた道具箱背面部にゴム製ベルト又はスプリング等の伸縮性を有する材料を取付け、それを利用することにより脚立若しくは梯子等に着脱できることを特徴とした作業用脚立等に着脱可能な道具箱。
【発明の詳細な説明】
【技術分野】
【０００１】  本発明は、脚立上部にて作業をする際、持ち上がった道具や小物類が地面へ落下するのを防ぐ事を目的とした作業用脚立等に着脱可能な道具箱に関するものである。
【背景技術】
【０００２】  従来屋外などにて作業をする際、脚立を使用する事が多々有るが使用する道具や小物類を持ち上がっても道具類を置く場所が無く足元などに置いて作業をしていた。
【発明の開示】
【発明が解決しようとする課題】
【０００３】  そのために次のような問題点があった。
足元に置いたつもりの道具を地面に落とし壊してしまったり、また色々な道具を使用する場合は何度も交換の為脚立を上り降りしなければならず不便であった。
本発明は以上の問題点を解決するためになされたものである。
【課題を解決するための手段】
【０００４】  左右の上部に切り込みを入れた箱を脚立脚部に固定できるようにし、その中に持ち上がった道具や小物類を入れて置けるようにした作業用脚立等に着脱可能な道具箱である。
【発明の効果】
【０００５】  例えば、脚立に金鎚やノコギリ釘など色々な道具類を持ち上がっても、使用する道具のみを取り出して使い、残りは一時的に上部に設けた箱状の道具入れに入れて置くため地面に落とす事はない、又天井に取り付けて有る長い棒状の蛍光灯などの交換の際は交換用の新しい蛍光灯や取り外した古い蛍光灯なども一時的に道具箱上部に設けた切り込み部分に乗せて置くことにより落下を防ぐことができる。
【発明を実施するための最良の形態】
【０００６】  以下、本発明の形態に付いて説明する。
（イ）左右両方の長辺部分に切り込み（６）を入れた箱状の道具箱（１）を作り、道具箱（１）の背面部にゴム製ベルト（２）を押え板（３）でボルトにて固定する。
（ロ）道具箱（１）の左右側面にカギ型の止め具（５）を設け、ゴム製ベルト左右両方の先にカギ部分（５）を差し込み固定する為の穴（４）を設ける。
本発明は以上のような構造で成り立ち、これを使用するときは道具箱（１）を脚立又は梯子の固定する部分に当てがい、背面に取り付けたゴム製ベルト（２）を左右それぞれ脚部内側から外側に出し、先端に開けてある穴部（４）に着脱用カギ部（５）を差し込みゴム製ベルト（２）の伸縮性を利用して固定する。
道具箱左右上部に設けた切込み部（６）に付いては棒状の蛍光灯を交換する際に交換用の蛍光灯や取り外した古い蛍光灯が落下しないよう乗せて置いたり、又のこぎり等持ち手の長い物を乗せて置きやはり落下を防ぐために使用するものである。
【図面の簡単な説明】
【０００７】
【図１】本発明の道具箱の斜視図
【図２】本発明の作業用脚立又は梯子に道具箱を取り付けた部分の斜視図
【図３】本発明の脚立足踏板側面に道具箱を取り付けた状態の斜視図
【図４】本発明の道具箱切り込部の使用状態の斜視図
【符号の説明】
【０００８】    １  道具箱
２  ゴム製ベルト
３  ベルト押え板
４  止め具穴部分
５  止め具カギ部
６  切り込み
【図１】
2009114833.tif 000003
【図２】
2009114833.tif 000004
【図３】
2009114833.tif 000005
【図４】
2009114833.tif 000006
(57)【要約】【課題】  熱膨張性マイクロカプセルを使用して発泡させた樹脂を被覆材とした手摺を提供すること。【解決手段】  熱可塑性樹脂を使用し、該樹脂の軟化点以下の温度でガス状になる揮発性膨張剤をマイクロカプセル化した熱膨張性マイクロカプセルを基本の軟質の合成樹脂中に加えて熱処理することにより製造した発泡樹脂成形物を被覆材として手摺の芯材に装着したことを特徴とする。【選択図】図１
2009114834.tif 000002
【特許請求の範囲】
【請求項１】
熱可塑性樹脂を使用し、該樹脂の軟化点以下の温度でガス状になる揮発性膨張剤をマイクロカプセル化した熱膨張性マイクロカプセルを基本の軟質の合成樹脂中に加えて熱処理することにより製造した発泡樹脂成形物を被覆材として手摺の芯材に装着したことを特徴とする手摺。
【発明の詳細な説明】
【技術分野】
【０００１】  本発明は、熱膨張性マイクロカプセルを使用して発泡させた軟質の合成樹脂を被覆材とした手摺に関するものである。
【背景技術】
【０００２】
【特許文献１】  登録実用新案第３０１４３８２号公報
【特許文献２】  特許第２８９４９９０号公報
【発明の開示】
【発明が解決しようとする課題】
【０００３】  従来から発泡塩化ビニル樹脂を被覆材とした手摺は、例えば、登録実用新案第３０１４３８２号公報等に記載されるように公知である。【０００４】  これらの発泡性樹脂を被覆材とした手摺は、非発泡性樹脂を被覆材とした手摺と比べて軽量であり、触感として温もり感があって手摺として好適であったが、この発泡性樹脂の発泡の原理は化学的発泡によるもので、樹脂自体を発泡させるものであった。【０００５】  つまり、化学的発泡によって樹脂自体を発泡させるということは、樹脂部（島部）と空間部（海部）の比率は略一定で、かつ、樹脂全体の島海構造は海部の方が島部よりも小さいつまり発泡率の低い状態の発泡であって、手摺の軽量化及び製造コストの低廉化等において改良の余地があった。
【発明の目的】
【０００６】  本発明は、特許第２８９４９９０号公報等に記載されるような熱膨張性マイクロカプセルを使用して発泡させた樹脂を被覆材とした手摺を提供することにある。
【課題を解決するための手段】
【０００７】  本発明の手摺は、熱可塑性樹脂を使用し、該樹脂の軟化点以下の温度でガス状になる揮発性膨張剤をマイクロカプセル化した熱膨張性マイクロカプセルを基本の軟質の合成樹脂中に加えて熱処理することにより製造した発泡樹脂成形物を被覆材として手摺の芯材に装着したことを特徴とするものである。
【発明の作用】
【０００８】  本発明の手摺では、被覆材の製造工程で基本の樹脂中に含まれる熱膨張性マイクロカプセルの揮発性膨張剤の物理的な発泡によって被覆材を製造しているので、熱膨張性マイクロカプセルの含有量や発泡温度の調節によって発泡率を自在に変更できる。
【実施例】
【０００９】  図１は、本発明の手摺の一例を表わす縦断側面図で、図中、１は、手摺を構成するパイプ状の芯材、２は、被覆材である。【００１０】  被覆材２は、基本となるポリプロピレン、ポリスチレン等の軟質の合成樹脂に揮発性膨張剤をマイクロカプセル化した熱膨張性マイクロカプセルを混合し、該マイクロカプセルの熱膨張をもたらすのに充分な温度でカレンダ加工、押出、ブローまたは射出等の方法で成形されたものである。【００１１】  本実施例では、簡単のためパイプ状の芯材１を使用したが、芯材１の断面形状はどのような形状でもよく、被覆材２も芯材１に係合させて装着できる形状にしてもよいことは勿論である。
【発明の効果】
【００１２】  以上述べたように、本発明の手摺によれば、熱可塑性樹脂を使用し、該樹脂の軟化点以下の温度でガス状になる揮発性膨張剤をマイクロカプセル化した熱膨張性マイクロカプセルを基本の軟質の合成樹脂中に加えて熱処理することにより製造した発泡樹脂成形物を被覆材として手摺の芯材に装着したものであるため、
▲１▼  被覆材は、従来の化学的発泡と異なる熱膨張性マイクロカプセルによる物理的発泡による発泡樹脂製であるので、樹脂の発泡率が高まり、従来の化学的発泡樹脂における島海構造の島部と海部の大きさが逆転して海部つまり空間部の方が島部つまり樹脂部よりも大きくなって手摺自体の軽量化が図れ、運送費の低減が図れる。
▲２▼  被覆材は、基本の樹脂中に含まれる熱膨張性マイクロカプセルの含有量や発泡温度の調節によって発泡率を自在に変更できるため、握ったときの固さや暖かさ等の感触を調節することができ、そのため病院等の施設における使用者の要望に応じた手摺を提供できる。
▲３▼  被覆材に使用する樹脂の発泡率を高めることができることによって体積を増加させることができて強度的な問題を考慮すれば基本の樹脂の使用量を減少させることができ、製造コストの低廉化が図れる。
▲４▼  発泡樹脂の特性により曲げ加工が容易であり、曲げ部分での皺等の発生を抑えることができて施工現場での作業性の向上が図れる。
という優れた効果を奏し得るもので、手摺としては現在にはない最適な手摺を提供することができるものである。
【図面の簡単な説明】
【００１３】
【図１】  本発明の手摺の一例を表わす縦断側面図である。
【符号の説明】
【００１４】１          芯材
２          被覆材
【図１】
2009114834.tif 000003
(57)【要約】【課題】  従来、男性は起床時等の勃起した状態から洋式便所で排尿すると、小便が便器の縁に飛散していた。また、生活を共にする家族に対し、不快な思いをさせていた。【解決手段】  そこで、この発明品を使えば、快適に用を済ませる。【選択図】図１
2009114827.tif 000002
【特許請求の範囲】
【請求項１】
洋式便所に於いて立位で排尿した時に、便器の縁を汚さない様にした装置。
【発明の詳細な説明】
【技術分野】
【０００１】  この発明は、男性の排尿時に洋式便所の便器の縁を汚さない様にする為の装置に関するものである。
【背景技術】
【０００２】  従来、男性は洋式便所に於いて起床時等、ペニスが勃起した状態であっても立位でそのまま用を足していた。
【発明の開示】
【発明が解決しようとする課題】
【０００３】  しかし、この様な状態で排尿すると便器の縁へ小便を飛散させてしまい、生活を共にする家族に迷惑をかけていた。
本発明は、以上の様な不都合を解決することを課題とする。
【課題を解決するための手段】
【０００４】  この装置へ小便を通過させる事により、便器の縁が汚れる事を防止できる。
【発明の効果】
【０００５】  この発明品を使用するとあらゆるペニスの状態であっても、ホースの角度を変えてやれば便器を汚さず用を足せる。この様に、便器を汚さないという事は、衛生的且つ家族にも迷惑をかけずにすむ効果がある。
【発明を実施するための最良の形態】
【０００６】  以下、本発明の実施例について説明する。
まず、片手に装置を持ち、１の内部が傾斜のついた半円形内部にペニスをのせ排尿する。２の円筒形の本体内部を小便が通過し、３のホースから小便が便器へ落ちる。【０００７】  ホースは一部、角度を変えられるので、あらゆる体格やペニスの状態でも使用出来やすくしてある。【０００８】  この装置の材質は防水性があり、軽量なプラスチックが最適である。【０００９】  本発明は、以上の様な構造から成り立ち、立位で小便しても常に便器の縁を汚さずに使用できる。また、使用後はあらかじめ便器のタンク側面等に吸盤式のフックを付けておき、そこへ４のリングをひっかけておくこともできる。
【図面の簡単な説明】
【００１０】
【図１】本発明の斜視図である
【図２】本発明の平面図である
【図３】図２Ａ線の断面図である
【符号の説明】
【００１１】  １  ペニスをのせる半円形の部分
２  本体
３  ホース
４  リング
【図１】
2009114827.tif 000003
【図２】
2009114827.tif 000004
【図３】
2009114827.tif 000005
(57)【要約】【課題】地震の発生時、高齢者、婦女子、足腰の悪い人に、わずかな移動距離で避難できる、地震で倒壊しない家の避難装置を提供する。【解決手段】既設、新築の家の中へ鉄柱（１１）に方杖（４）火打ち（３）筋交い（１０）を取り付けた、強固な部屋を設け、天井と鉄骨で組み上げた部屋の周りに鉄網材（１６）を取り付けたことを特徴とする。【選択図】図２
2009114829.tif 000002
【特許請求の範囲】
【請求項１】
既設、新築を問わず、家の内部、又は家の隣接したところに、鉄骨で構築した強固な部屋を設け、部屋の天井に鉄板（１５）部屋のまわりに鉄網材（１６）で囲い、倒壊材が部屋の内部に落下するのを防ぎ、部屋を倒壊から防ぐために必要な、鉄柱（１１）方杖（４）火打ち（３）筋交い（１０）横架材（２）を鉄骨で強固に取り付けた地震で倒壊しない家の避難装置。
【発明の詳細な説明】
【発明の詳細な説明】
【技術分野】
【０００１】この発明は、家にいて、突然発生した地震時に、短い移動距離で足、腰の悪い人、婦女子、高齢者が安心して、早く避難出来るようにした、地震で倒壊しない家の避難装置に関するものである。
【背景技術】
【０００２】従来より、家は、木材を加工し組み立てて建築されているために、地震で部材の１つが壊れれば他の部分に負荷がかかり、倒壊する状態になっていた。
【発明が解決しょうとする課題】
【０００３】これは、次のような欠点があった、
イ、現在の既設、新築の家の外回りは、筋交い、方杖、火打ち、を、木柱、梁、横架材に組み合わせて丈夫に出来るが、住宅の中はどうしても間取りをとるため、方杖、筋交い、火打ちなどの部材が少なくなる、方杖が少なくなれば横方向のゆれには弱くなってしまう。
ロ、柱と柱を組み合わせている、ほぞ、が抜けやすく、接合部分に金具板を釘、込み栓、ボルト等で止めているが、地震時は住宅全部がゆれるため、柱に打ち込んだ  釘、ボルト、込み栓は抜けたり、折れたりする、金具、込み栓が強ければ打ち込んだ柱や木材を引き裂くことになる。
ハ、柱は組み合わされているため、１ヶ所組み合わせが外れれば、他の組み合わせにその分、無理な負担がかかり、外れやすくなり、折れやすくなる、当然住宅の外より中から崩れてしまうのが現状であった。
本発明は以上の問題点を解決しようとするために発明されたものである。
【課題を解決するための手段】
【０００４】既設、新築を問わず家の内部、家の隣接するところに鉄骨で強固に組み立てた部屋を設け、部屋の天井に鉄板（１５）を、部屋のまわりに鉄網材（１６）で囲み倒壊材が部屋の内部に落下するのを防ぎ、部屋を倒壊から防ぐために必要な鉄柱（１１）方杖（４）火打ち（３）筋交い（１０）横架材（２）を強固にボルト、ナット（２２）で固定する。
以上の構成からなる、地震で倒壊しない家の避難装置。
【発明を実施するための最良の形態】
【０００５】以下本発明の実施の形態について説明する。
（イ）部屋の中に鉄柱（１１）を立てる、鉄柱と鉄柱の間に横架材（２）を取り付ける。
（ロ）鉄柱（１１）には方杖（４）を全部に取り付け、横架材（２）に取り付け火打ち（３）筋交い（１０）を取り付ける。
（ハ）鉄骨で組んだ部屋の天井に鉄板（１５）を取り付け、部屋の周りに鉄網材（１６）を取り付ける。
（二）部屋の基礎の強度を増すため、鉄筋（１８）を巻くようにコンクリート（１９）で固める。
（ホ）接合部は、ボルト、ナット（２２）で強固に接合する。
本発明は以上の構成よりなっている。
本発明は、通常は普通の部屋として使用し、突然、地震が発生しても、家の中か、隣接の場所に本発明の避難装置があるため迷うことなく、わずかな時間と、わずかな移動距離で、安心して避難できるものである、突然の地震に気付いた時には振動もはじまっている、地面と建物がゆれている状態で、人は、どの方向から、どの様に、何が倒れるか、何が落ちてくるかわからない、地面が割れて落ちるか、わからない、このような状態で、戸外へでるのは危険なことである、本避難装置の上に屋根等の倒壊材が落ちてきても、強固な骨組みとその上に敷いてある鉄板で、避難装置の中へ避難した人に危害は及ばない、振動が収まるまで避難することを目的としたものである。
【発明の効果】
【０００６】本発明は建物の既設、新築を問わずに施工が出来て、木材の良いところを生かして住み、突然の地震、災害時に鉄骨で強固に組み立てた、普段は普通の部屋で、縦ゆれ、横ゆれの無い、天井も落ちる心配のない、横から倒壊材の落下の心配のない強固な部屋を作ることで、足腰の悪い人、婦女子、高齢者が、短い移動距離で安心して避難できるものである。
地域、地域に地震等災害時に避難する場所は決まっているが、突然の地震でぐらぐら動く地面を歩き、ぐらぐら動く建物のあいだを通って遠い避難場所まで行くのは最も危険であるし、またその状態では足も恐怖で動かないのが実状である。
なお、コンクリート建築が安全と思っても地震のゆれで天井のコンクリートが破損して、破片が落下して怪我をする。また建物全体を鉄骨で作ると経済的に高額になる、本発明は少ない費用で最大の安全を提供するものである。
【図面の簡単な説明】
【図１】本発明の斜視図
【図２】本発明の正面図
【図３】本発明の使用状態を示す正面図
【図４】本発明の使用状態を示す平面図
【符号の説明】
１    木柱                  １５    鉄板
２    横架材                １６    鉄網材
３    火打ち                １７    天井
４    方杖                  １８    鉄筋
５    床                    １９    コンクリート
６    下架材                ２０    内装材取り付け金具
７    床架材                ２１    内装
８    土台                  ２２    ボルト、ナット
９    コンクリート基礎      ２３    入口
１０    筋交い
１１    鉄柱
１２    ２階
１３    床材
１４    根太
【図１】
2009114829.tif 000003
【図２】
2009114829.tif 000004
【図３】
2009114829.tif 000005
【図４】
2009114829.tif 000006
(57)【要約】      （修正有）【課題】最近、限界集落等といわれる言葉がメディアで使われだしたが、雪国での路地裏・屋根上の除雪を出来る屈強な熟練労働者が少なくなってきた。従来の機械では、自走装置のため構造巨大・複雑・専門操作員が必要かつ高価格などである。ということで、Ｈａｎｄｙな除雪機の開発・普及が社会的要請となってきた。【解決手段】人力で保持するためのハンドル３と駆動源としてのエンジン４とを備えた刈払い機から作業機部分（刈と駆動部分）２を取り外して新機構部１を取り付ける。該新機構部２は、インペラーロータを偏心させて起震機としての機能を持たせることでロータケースを振動させて、圧雪固化した雪を粉砕して、該粉砕した雪をケース内へ導入し、インペラロータでスノーシュータから投雪する。【選択図】図１
2009114830.tif 000002
【特許請求の範囲】
【請求項１】
核心部であるインペラーローターの、回転中心とその重さの中心をずらすことによって振動を発生させることを特徴とするブロアータイプ除雪機である。
【発明の詳細な説明】
【技術分野】
【０００１】  本発明は動力で回転するインペラーローターの遠心力を利用して行う除（放・投）雪機であり、その形状を工夫することによって、除雪機の構造簡単、軽量化を図るものである。
【背景技術】
【０００２】  従来のインペラーブロアータイプ除雪機では、動力走行装置のトラクションを利用して除雪機を雪に押し付け、オーガー等と言われる集雪装置で雪を粉砕しブロアーケースの中へ送り込み、回転させて遠心力で飛ばしていた。【０００３】  乗車あるいは否乗車両タイプとも除雪機システムの中で動力走行装置はその構造上、手で持って使用できるほど小型化・軽量化できない。【０００４】  したがって、従来のものは構造が複雑で、大きく重量が重い。【０００５】  そんなわけで、構造上、超小型動力除雪機（Ｐｏｒｔａｂｌｅ）は無かった。【０００６】  特許・非特許文献共に分からない。
【発明の開示】
【発明が解決しょうとする課題】
【０００７】  しかし、動力走行装置を取り外してインペラーブロアーをケースに収めただけの装置では、圧雪などとケースそのものとが干渉してケース内へ雪を導入できない。
【０００８】  それではということで、ケースよりインペラーを前に出すのは、人間が直接手で持って操作するのが前提の機械なので危険性が高くなる。
【０００９】  だから従来のような除雪機では狭隘な場所、屋根上などでは機械による除雪ができないという不都合を解決することを課題とする。
【課題を解決するための手段】
【００１０】  この課題を解決するため、雪をかきとり遠心力を与えるインペラーローターの回転中心とその重さの中心をずらすことでその回転バランスを狂わせる。
【００１１】  インペラーローターは、あたかもバランスの狂った自動車の前輪のごとく振動する
【００１２】  その振動するインペラーローターを本来の雪を飛ばす以外に起震機としても利用する。
【００１３】  ローターはベアリングを介して、中心に穴の開いた金盥のような形状をしたインペラーローターケース内部に取り付けてありローターの振動がケースに伝わる。
【００１４】  振動するケースの外周前縁が固化した雪でも押圧・粉砕する。
【００１５】  又、一方ローターケース内、前面の排除しょうとする雪は、回転するインペラーローター前面エッジで掻き取られる。
【００１６】  それによって、排除対象の雪が軟らかい場合は言うまでもなく、前項によって、細分化された雪も、ローターケース内へ押し込められ高速回転するローターによって、任意の方向へセットできるシューターから本機の操作者の意図する方向へ放・除雪される。
【００１７】  したがって、従来の同種の機械のようにインペラーローターケースに雪を導入するためのオーガーも、前進させるための機械装置も要らないから、超小型化が可能なため人の手で持って操作が出来るので、インペラーローターを雪に押し付けるのは、人力で十分である。
【発明の効果】
【００１８】  以上のようなことで、構造シンプル・軽量・操作簡単で必然的に安価に出来、屈強で熟練労働力が必要なくなる。
【発明を実施するための最良の形態】
【００１９】  本発明は、主に冬季積雪期に使用することが予想されるので、農家・林業家・建設業者等、多くの分野で、無雪期に使われている（雑草等）刈払い機（機械全体を手で持つもの・原動機などを背負うタイプのもの図面１参照）の一部を流用出来る。【００２０】  刈り払い機の先端作業機（原動機の反対側に付いている刈刃・変向ギヤー等）を外す。【００２１】  そこへ本発明品を駆動・保持する為の変（速）向ギャー・リテーナーなどと、共に取り付ける【００２２】  勿論、機械全体を専用の除雪機として製作することも出来る。
【産業上の利用可能性】
【００２３】  本発明に係る除雪機は、工業的に量産する事が可能であるため、産業上の利用可能性を有する。
【図面の簡単な説明】
【００２４】
【図１】  刈払い機の概念図であり、無雪期には  ２  の部分で雑草などを刈り取る、積雪期には  ２  を外して  １  を取り付けてＰｏｒｔａｂｌｅ除雪機として使用する。
【図２】  本除雪機の新機構部をインペラーブロアーローター正面から見た説明図である。
【図３】  同じくブロアーローターを横から見た説明図であり、ブロアーローターとケースを離して描いたが本当は中へ収めて組み立てる。
【符号の説明】
【００２５】  １    本発明の新機構部であり、除雪機として使う時は  ２  を外して  １  を取り付けて使う。
２    刈払い機本来の作業機部分（刃と駆動部分）である。
３    エンジンから作業機部分へ動力を伝達し、使用する時のハンドルとなる。
４    エンジン一式
５    この機械本来の作業対象の雑草など。
６    動力伝達のためのギャーボックス。
７    本発明の核心部である偏心したインペラーである。
８    ７  とともにブロアーを構成するローターであり、偏心させるためのバランサーはインペラー・ローターの任意のところへ取り付ける。
９    ローターケースであり、インペラーローターよりやや内径が大きい外周前縁で振動によって硬い雪を砕き、中で回転しているインペラーローターの危険性を遮蔽する。
１０    スノーシュウターであり、ここから投雪される。
投雪口は任意の方向に向けることも出来る。
１１    インペラーの断面図である。
１２    シュウターの開口部から投雪される。
１３    インペラーローターがケースに収められる。
１４    インペラーローターの回転中心である。
１５    インペラーローターの重さの中心である。
【図１】
2009114830.tif 000003
【図２】
2009114830.tif 000004
【図３】
2009114830.tif 000005